(57)【要約】【課題】  種々の花材を角度自在に容易かつ着実に保持させることができるとともに、水の交換に支障がなく、しかも繰り返して使用できる花材用保持具、および花器を提供すること。【解決手段】  花器１は、突起１１１を開口端１１近傍に備えており、この突起１１１に輪ゴム１１２を掛けて所望の区画１１３を形成し、この区画１１３に花材を挿入するだけで花材が挟持されるので、容易かつ着実に種々の花材を保持させることができ、輪ゴム１１２の突起１１１への掛け方次第で花材の位置や角度を容易かつ自在に調整できる。さらに、輪ゴム１１２を突起１１１に掛けた状態で全ての水を容易に交換できる。  また、花材が区画１１３に挿入されることにより、輪ゴム１１２、突起１１１は花材の挿入により損傷したりせず、繰り返して使用できるから、廃棄処理に関する問題等も生じない。【選択図】  図２
2005087446.tif 000002
【特許請求の範囲】
【請求項１】
花材を保持する花材用保持具であって、
花器に装着可能とされる環状の本体と、この本体に設けられる複数の突起と、これらの突起に掛けられて係止される紐状の弾性部材とを備え、
この弾性部材によって前記本体の内周で花材が挿入される複数の区画に区分けされることを特徴とする花材用保持具。
【請求項２】
請求項１に記載の花材用保持具において、
前記突起は、前記本体の環形状を含む面と交差する方向に前記本体から突出するように形成され、かつ、前記突起が花器底部に向くように花器に装着されることを特徴とする花材用保持具。
【請求項３】
花材が生けられる花器であって、
請求項１または請求項２に記載の花材用保持具を備えることを特徴とする花器。
【請求項４】
請求項３に記載の花器において、
前記花材用保持具を複数備え、これらの花材用保持具は、高さ違いに複数配置されることを特徴とする花器。
【請求項５】
花材が生けられる花器であって、
開口端に沿って形成される複数の突起と、これらの突起に掛けられて係止される紐状の弾性部材とを備え、
この弾性部材によって内側で花材が挿入される複数の区画に区分けされることを特徴とする花器。
【請求項６】
請求項１から請求項５に記載の花器において、
前記弾性部材は花材の長手方向の異なる位置かつ互いに近接する位置に係止されることを特徴とする花器。
【発明の詳細な説明】
【技術分野】
【０００１】
本発明は、花材を生ける際に花材を保持する花材用保持具、および花器に関する。
【背景技術】
【０００２】
従来から、生け花やフラワーアレンジメントにおいて各種の花器が使用されており、これらの花器に配置して花材を保持させるための剣山やスポンジ状の吸水フォーム等が知られている。
特に、下記の特許文献１および特許文献２にも示されるように「オアシス（登録商標）」と呼ばれる吸水フォームは、多孔質で脆いという性質から花材を挿して固定する際に剣山のように力が要らず、しかも、ブロック状にカットした該フォームに対して様々な角度に花材を挿して保持させることができる。そのため近年では、例えば、小振りの花器に放射状に花材を飾るテーブルフラワーにも広く利用されている。このようなテーブルフラワーでは、花材の位置や角度を調整して、バランス良く生けることが肝要とされる。
【０００３】
【特許文献１】米国特許  第２７５２２７７号
【特許文献２】特許  第３１０３８３９号
【発明の開示】
【発明が解決しようとする課題】
【０００４】
しかしながら、吸水フォームには、上述したように多孔質で脆いという性質があることから、挿入される茎等に水が供給されるように予め時間をかけて完全に内部まで水を含ませる面倒な準備が必要なこと、さらに、一度茎等を挿すと穴が開いてしまい、この穴の近傍に挿し直して位置や角度を調整できないという問題があった。
また、吸水フォームは弾性に乏しいため、細いつるの先端などを挿しても抜け易く、これを着実に保持させることは困難である。
さらに、花器の水を新鮮な水に交換しても、吸水フォームに保水されている水によってその新鮮さが損なわれてしまう。
【０００５】
そしてまた、繰り返し挿すことができないので、花材が萎れれば吸水フォーム自体がごみとなる。つまり、吸水フォームは使い捨てであり、コストが高くなるばかりか、該フォームの材質に殆ど生分解性がない場合や、化学肥料が添加される場合もあることから、廃棄処理に手間を要するという問題がある。さらに、吸水フォームの保水機能により該フォームから水を除去することは容易でなく、水を含んで重く嵩張ったままごみとして処理しようとすると、より多くの輸送エネルギーが必要となるうえ、吸水フォームの材質によっては、燃焼の際に著しく高温となったり、大量の空気を必要としたりするので、焼却炉に負担が掛かり易い。
【０００６】
その点、前記の剣山は使い捨てではないので、上述のような廃棄処理の問題は生じないが、一旦剣山の針に挿した花材の茎に穴が開くから、吸水フォームと同様に挿し直しが利かないうえ、針径よりも茎径の小さい花材をうまく固定できないため、使用できる花材の種類が限られてしまうという問題がある。また、ブロック状の吸水フォームのように様々な角度に花材を保持させることが難しく、生け花やフラワーアレンジメントの造形性に乏しいという問題もあった。
【０００７】
本発明の目的は、上記問題に鑑みて、種々の花材を角度自在に容易かつ着実に保持させることができるとともに、水の交換に支障がなく、しかも繰り返して使用できる花材用保持具、および花器を提供することにある。
【課題を解決するための手段】
【０００８】
本発明の花材用保持具は、花材を保持する花材用保持具であって、花器に装着可能とされる環状の本体と、この本体に設けられる複数の突起と、これらの突起に掛けられて係止される紐状の弾性部材とを備え、この弾性部材によって前記本体の内周で花材が挿入される複数の区画に区分けされることを特徴とする。
また、本発明の花器は、このような花材用保持具を備えることを特徴とする。ここで、花材用保持具は、花器内面で支持されるように花器に装着される。
そして、本発明のもうひとつの花器は、花材が生けられる花器であって、開口端に沿って形成される複数の突起と、これらの突起に掛けられて係止される紐状の弾性部材とを備え、この弾性部材によって内側で花材が挿入される複数の区画に区分けされることを特徴とする。
【０００９】
これらの発明によれば、弾性部材を境界線とする所望の区画を形成し、この区画に花材を挿入するだけでその花材が弾性部材に挟持されるので、容易かつ着実に種々の花材を保持させることができる。この区画は、弾性部材間の他に、花材用保持具を使用する場合は、弾性部材と本体の内周面との間にも形成され、突起を備える花器を使用する場合は、弾性部材と内面との間にも形成される。
【００１０】
また、弾性部材を突起に掛け直したり、突起に掛ける弾性部材の数を増減したりして区画の形状や弾性部材の張力を変化させることによって花材の位置や角度を容易かつ自在に調整でき、思いのままに花材を生けることができる。
ここで、本体の周や花器の端縁に沿って突起が略等間隔に形成され、各突起には複数の弾性部材がそれぞれ係止されて、弾性部材が本体や花器の内部で張り巡らされていることが好ましい。
これにより、本体や花器の内部全体にわたって細分化された多数の区画が形成され、挿入される区画を変更することで花材の位置や角度の微調整が容易となる。なお、花材が挿入されるのは、弾性部材を突起に係止させる前後いずれでも良い。
【００１１】
さらに、弾性部材を突起に掛けた状態で水を全て交換できるので、水の交換にも何ら支障がない。花材用保持具を使用する場合は、花材を花材用保持具ごと取り外して水を交換することもできる。
また、花材が挿入されるのは前記の区画、すなわち、弾性部材等の間に生じる隙間部分なので、弾性部材、突起、および本体等は花材の挿入により損傷したりせず、花材用保持具および花器を繰り返して使用できる。弾性部材が経時変化等によって劣化したときも、その弾性部材だけを交換すれば済む。ここで、花材の形状や重量等に応じて、材質や太さの異なる弾性部材に交換して使用することも考えられる。
そして、前述のような吸水フォームとは違い、花材が萎れた際もこれらの花材用保持具や花器自体はごみとならずに再利用できるから、廃棄処理に関する問題等も生じない。
【００１２】
本発明の花器では、前述のような花材用保持具を複数備え、これらの花材用保持具が高さ違いに複数配置されることが好ましい。
この発明によれば、花器底部側に配置された花材用保持具によっても花材を保持・支持可能となるので、花器の内部で倒れやすい長い花材を生ける場合にも、花材の倒れ込みを規制できる。また、花材の重量が大きい場合も同様であり、花材を着実に保持させることができる。
【００１３】
本発明の花材用保持具では、前記突起は、前記本体の環形状を含む面と交差する方向に前記本体から突出するように形成され、かつ、前記突起が花器底部に向くように花器に装着されることが好ましい。
この発明によれば、弾性部材を突起に掛け、突起の突出する本体の面とは反対側に掛け回すようにして係止させることが可能となり、弾性部材が本体の端縁で折り返すように張られるので突起から抜けにくく、弾性部材に強い張力を与えて花材をより着実に保持させることができる。
また、突起が花器の底部に対向するので、花材を挿す際に突起が邪魔にならないうえ、弾性部材が突起から抜けにくくなり、この点でも花材をより着実に保持できる。
【００１４】
また、本発明の花材用保持具および花器では、前記弾性部材は、輪ゴムを備えることが好ましい。
この発明によれば、突起に容易に引っ掛けることができる輪形状に弾性部材が形成されることにより、花材を迅速に生けることができるうえに、ゴムという粘着性の材質を採用することにより花材と輪ゴムとの摩擦が大きくなるので、保持力を一層向上させることができる。なお、この輪ゴムは、市販のものを使用することも可能である。
【００１５】
さらに、本発明の本発明の花材用保持具および花器では、前記弾性部材は花材の長手方向の異なる位置かつ互いに近接する位置に係止されることが好ましい。
ここで、複数の弾性部材が本体や花器内部で互いに交差する場合や、一つの弾性部材が複数の突起に連続的に掛けられて、複数の弾性部材を使用した場合と略同様に交差する場合がある。
この発明によれば、このように弾性部材が交差することによって、この交差部分近傍では、花材が茎等の径方向および長手方向に挟持されて三次元的に保持されることになり、保持力を一層向上させることができる。
【発明を実施するための最良の形態】
【００１６】
以下、本発明の第一実施形態を図面に基づいて説明する。
図１には、本実施形態の花器１に花材ＦＬが生けられた状態が示され、図２には、花材ＦＬが生けられていない状態の花器１が示されている。そして、図３はこの花器１の平面図であり、図４は花材ＦＬの保持状態を表す模式図である。
花器１は、平面視略六角形状の小振りの透明ガラス製容器であり、図１にも示されるように、水ＷＴが貯水されるとともに複数の花材ＦＬが放射状に生けられ、いわゆるテーブルフラワーとしても飾られるものである。
【００１７】
この花器１の容器としての開口部分である開口端１１、および底部分である底部１２は略同寸法の略正六角形状とされている。そして、これらの開口端１１および底部１２から互いの中間部位にかけて花器１は次第に拡径しており、この中間部位は、花器１の内側から外側に凸状に膨出する膨出部１３とされている。このように花器１は先窄まりの形状とされているので、花材ＦＬを複数生けた際に、花器１内部略中央で花材ＦＬが互いに交差し、花材ＦＬの束を放射状に形作りやすい。
また、この花器１は、開口端１１近傍に形成される複数の突起１１１と、これらの突起１１１に掛けられて係止される複数の輪ゴム１１２とを備えている。
【００１８】
この花器１の備える突起１１１は、花器１本体と同材質の透明ガラス製であり、開口端１１近傍の外面から面外方向に長手方向で突出する略直方体形状に形成されている。ここで突起１１１は、各面が開口端１１を含む面と略平行または略直交する向きで花器１本体と強固に一体形成されており、花器１の本体外面と面で接合されている。
さらに、各突起１１１は指先に適合するような寸法に設定されており、それぞれの突起１１１を指でつまむことのできる所定ピッチにより、開口端１１の全周に形成されている。
【００１９】
そして、これらの突起１１１に掛けられる輪ゴム１１２は透明の合成ゴム製であり、紐形状の端部が連続する輪形状に一体成形されている。この合成ゴム素材は、花材ＦＬの保持に必要十分な弾性かつ粘着性を有しており、花材ＦＬへの当たりが考慮されて適度な柔軟性も有している。
これらの輪ゴム１１２の係止される突起１１１は、任意に選択される。例えば、これらの輪ゴム１１２のいずれかは、図３に輪ゴム１１２Ａとしても示されるように、略正六角形状の開口端１１の対辺位置で互いに対向する二つの突起１１１の周囲に掛けられ、花器１内部をほぼ径方向に延びるように突起１１１に係止されている。なお、突起１１１は上述したような向きに形成されており、このような輪ゴム１１２Ａは突起１１１と花器１本体外面との接合部分近傍に掛けられるので、輪ゴム１１２Ａによって平面視略矩形状が形成されている。これにより、突起１１１の角部分によって負荷が掛かり過ぎることなく、輪ゴム１１２Ａは安定的に係止されている。
そのほかの輪ゴム１１２は任意の突起１１１に係止されており、図３に輪ゴム１１２Ｂとしても示されるように、三つ以上の突起１１１に掛けられているものもある。このように、規則的（例えば上記の輪ゴム１１２Ａを参照）・不規則的に輪ゴム１１２が係止されることによって花器１の内部全体に輪ゴム１１２が張り巡らされることになり、ここで、輪ゴム１１２を境界線とする多数の区画１１３が形成される。この区画１１３には、後述するように花材ＦＬが挿入される。
【００２０】
これらの区画１１３として、図３にも示されるように、開口端１１を含む面と略平行かつ互いに異なる方向から延びて交差する三つの輪ゴム１１２が境界線となり、略六角形状の複数の区画１１３Ａが形成されている。また、上述したような輪ゴム１１２Ａ二つが花器１径方向に沿って隣接する部分では、これら輪ゴム１１２Ａに交差する他の輪ゴム１１２によって、これら輪ゴム１１２Ａ間にも略六角形状の区画１１３Ｂが複数形成されている。
このように輪ゴム１１２のみを境界線とする区画１１３Ａ、１１３Ｂのほか、輪ゴム１１２と花器１の内面とを境界線とする複数の区画１１３Ｃも形成されている。これら区画１１３の形状は、三角形状、四角形状、五角形状、六角形状等、種々様々となっている。
【００２１】
このような花器１には、例えば次のようにして花材ＦＬを生けることができる。
花器１に適量の水ＷＴを入れ、輪ゴム１１２を任意の突起１１１に掛けて係止させる。これにより、輪ゴム１１２を境界線とする区画１１３が花器１内部に形成されるので、この区画１１３に花材ＦＬの茎等を挿入して保持させる。この際、花材ＦＬの茎径によっては、区画１１３を押し拡げるように挿入し、ゴムの張力で保持させる。
ここで、複数の輪ゴム１１２を任意の突起１１１に次々と引っ掛けて係止させ、花器１内部に輪ゴム１１２を張り巡らすこともできる。
なお、輪ゴム１１２を突起１１１に係止させてから花材ＦＬを挿入してもいいし、花材Ｆを挿入してから輪ゴム１１２を係止させても良い。つまり、必要に応じて、輪ゴム１１２の係止と花材ＦＬの挿入とを交互に行ってよい。
【００２２】
ここで、複数の輪ゴム１１２が互いに交差し、この輪ゴム１１２によって境界線が形成された区画１１３に花材ＦＬが挿入されている状態について説明する。
ここでは、模式図である図４も参照しながら、前述したような区画１１３Ａについて説明する。
花材ＦＬは、花器１の開口から底部１２に向かう方向（図４のＺ方向）にほぼ沿うように生けられている。
そして、三つの輪ゴム１１２Ａがこの花材ＦＬの長手方向と交差し、かつ、花器１の径方向に略沿って、互いに交差するように延びている。これら三つの輪ゴム１１２Ａは、この交差部分で互いに近接している。
これらの輪ゴム１１２Ａのうち、第一の輪ゴム１１２Ａ１は、開口端１１の対辺位置にある二つの突起１１１に係止され、花器１の径方向となる図４のＸ１方向に延びている。
また、第二の輪ゴム１１２Ａ２は、第一の輪ゴム１１２Ａ１が係止された突起１１１とは別の対辺にある突起１１１に係止され、第一の輪ゴム１１２Ａ１と交差するように花器１の径方向となる図４のＹ方向に延びている。
さらに、第三の輪ゴム１１２Ａ３は、第一・第二の輪ゴム１１２Ａ１、１１２Ａ２が係止された突起１１１とは異なる対辺にある突起１１１に係止され、第一・第二の輪ゴム１１２Ａ１、１１２Ａ２と交差するように、花器１の径方向となる図４のＸ２方向に延びている。
【００２３】
このような三つの輪ゴム１１２Ａは、第一の輪ゴム１１２Ａ１、第二の輪ゴム１１２Ａ２、第三の輪ゴム１１２Ａ３の順序で突起１１１に係止されている。
すると、これらの輪ゴム１１２Ａによって前述のような区画１１３Ａが形成され、輪ゴム１１２Ａが花材ＦＬの茎等に当接することにより、ゴムの張力によって花材ＦＬが挟持される。
ここで、この区画１１３Ａは、開口端１１を含む面においては略六角形状であるが、紐状である輪ゴム１１２Ａ１、１１２Ａ２，１１２Ａ３の厚みを加味すると、輪ゴム１１２Ａ１、１１２Ａ２，１１２Ａ３は立体的に交差しているので、区画１１３Ａも花材ＦＬの挿入されるＺ方向（図４）に厚みのある立体的形状に形成されている。
すなわち、花材ＦＬは、輪ゴム１１２Ａ１、１１２Ａ２、１１２Ａ３によって開口端１１を含む面およびこの面と交差するＺ方向に三次元的に挟持されている。
【００２４】
このようにして生けられた花材ＦＬの位置や角度は、次に挙げるような方法で調整できる。
（Ａ）輪ゴム１１２を突起１１１に掛け直す。
この際、輪ゴム１１２を再び同じ突起１１１に掛け直しても良いし、突起１１１を再度選択して別の突起１１１に係止させてもよい。同じ突起１１１に掛け直す際でも、輪ゴム１１２が突起１１１と花器１外面との接合部分に位置するように掛け直したり、輪ゴム１１２を捻って掛けたりすることで、輪ゴム１１２の張られる角度や張力を細かに変更できる。
これにより花材ＦＬの保持力が変更されて、花材ＦＬの位置や角度を調節できる。
【００２５】
（Ｂ）輪ゴム１１２の数を増減する。
ここで、同じ突起１１１および隣接する突起１１１に係止される輪ゴム１１２の数を増減することにより、これらの輪ゴム１１２がなす区画１１３の境界線の太さを変更できる。さらに、輪ゴム１１２を数多くの突起１１１に掛け、様々な角度で張り巡らせて輪ゴム１１２を密とすることができる。
これにより、区画１１３の形状が開口端１１を含む平面方向に変化するとともに、この面と交差する方向にも立体的に変化するので、この区画１１３に挿入される花材ＦＬの位置や角度を微調整できる。
【００２６】
（Ｃ）花材ＦＬを挿入する区画１１３を変更する。
花材ＦＬを隣接する区画１１３に挿し直すことによって、花材ＦＬの位置および角度が調整される。例えば、花材ＦＬが、略直立するような姿勢で花器１略中央の区画１１３に挿されている場合、その区画１１３に隣接し、かつ、開口端１１寄りの区画１１３に挿し直すことによって、花材ＦＬは傾斜すると考えられる。また、挿入される区画１１３と開口端１１に近接しているほど、花材ＦＬの傾斜角度は大きくなると考えられる。さらに、区画１１３が花器１内部で細分化されていればいるほど、花材ＦＬの位置や角度を微調整できる。
そのほか、花材ＦＬを挿し直し、他の花材ＦＬと互いに支え合うような角度に調整しても良い。
【００２７】
ここで、花器１の水を交換するには、花器１を傾けて区画１１３から水を流出させ、区画１１３から再び水を供給するだけでよく、輪ゴム１１２を突起１１１から取り外したり、花材ＦＬを取り除いたりする必要はない。
そして、花材ＦＬが萎れても、花材ＦＬを区画１１３から抜き出し、新しい花材ＦＬを区画１１３に再び挿入して使用することができる。既に形成されている区画１１３をそのまま利用できるので、直ちに花材ＦＬを生けることができる。
また、新しい花材ＦＬの種類に応じて、輪ゴム１１２を張り直してもよい。またさらに、花材ＦＬの重量に応じて輪ゴム１１２の材質や径を交換したり、太さや種類の異なる輪ゴム１１２を混在させたりしてもよい。
このように花材ＦＬを保持する部材を再利用できるので、ごみを出さずに花器１を繰り返し使用できる。
【００２８】
このような第一実施形態によれば、次のような効果がある。
（1-1）すなわち、突起１１１を開口端１１近傍に備えており、この突起１１１に輪ゴム１１２を掛けて所望の区画１１３を形成し、この区画１１３に花材ＦＬを挿入するだけで花材ＦＬが挟持されるので、花材ＦＬの種類を問わず、容易かつ着実に保持させることができる。
また、輪ゴム１１２を突起１１１に掛け直したり、突起１１１に掛ける輪ゴム１１２の数を増減したりして区画１１３の形状や輪ゴム１１２の張力を変化させることによって花材ＦＬの位置や角度を容易かつ自在に調整でき、所望どおりに花材ＦＬを生けることができる。花材ＦＬの細いつる先等も輪ゴム１１２に引っ掛けるようにして着実に保持させることができる。
特に、開口端１１に沿って突起１１１が略等間隔に形成されており、花器１内部で細分化された多数の区画１１３が形成されていることにより、挿入される区画１１３を変更することで花材ＦＬの位置や角度を容易に微調整できる。
【００２９】
（1-2）さらに、輪ゴム１１２を突起１１１に掛けたまま水ＷＴを全て交換できるので、水ＷＴの交換にも何ら支障がない。
また、花材ＦＬが区画１１３に挿入されることにより、輪ゴム１１２、突起１１１は花材ＦＬの挿入により損傷したりせず、花器１を繰り返して使用できる。
そして、ごみを出さずに花器１を再利用できるから、廃棄処理に関する問題等も生じない。
（1-3）突起１１１に容易に掛けることができる輪ゴム１１２が採用されることにより、花材ＦＬを迅速に生けることができるうえに、粘着性のゴムの性質により花材ＦＬと輪ゴム１１２との摩擦が大きくなるので、保持力を一層向上させることができる。
また、輪ゴム１１２は花材ＦＬへの当たりが柔らかいため、挿入する際に花材ＦＬを痛める心配もない。
【００３０】
（1-4）輪ゴム１１２が花器１内部で交差するように係止されることによって、輪ゴム１１２を境界線とする区画１１３の形状が輪ゴム１１２の厚みの分、立体的となる。これにより、この交差部分近傍では、花材ＦＬが茎等の径方向および長手方向に挟持されて三次元的に保持されることになり、保持力を一層向上させることができる。
（1-5）花材ＦＬが保持される突起１１１および輪ゴム１１２は開口端１１近傍に配置されていることにより、花材ＦＬを生けた際にこれらの保持部材が目立たず、吸水フォームを使用する場合のように、花材ＦＬの葉等で隠す必要がない。
また、透明色の花器１に対応して輪ゴム１１２は透明色とされているので一層目立ちにくく、生け花やフラワーアレンジメントの造形性にも寄与できる。
【００３１】
次に、本発明の第二実施形態について説明する。
第一実施形態では、花器１は開口端１１近傍に突起１１１を有し、花材ＦＬは、この突起１１１に係止された輪ゴム１１２に花器１開口近傍で保持されていた。
これに対し、第二実施形態では、花器が別体の花材用保持具を複数備えている点が相違する。以下、具体的に説明する。
【００３２】
図５には本実施形態の花器２が示され、図６および図７には、この花器２に装着される花材用保持具５、６がそれぞれ示されている。そして、図８および図９は輪ゴムの係止態様を模式的に表す図である。花器２には、前記実施形態と略同様に水ＷＴが貯水されるとともに花材ＦＬ（以降、図１および図４を参照のこと）が生けられ、これらの花材ＦＬは、二つの花材用保持具５、６によって保持される。
花器２は、透明のガラス製容器であり、開口端２１と底部２２はともに略円形状とされ、底部２２から開口端２１に向かって次第に拡径するように形成されている。
【００３３】
この花器２が備える一方の花材用保持具５は、この花器２の開口端２１の上端面で支持されるように装着され、他方の花材用保持具６は花器２の内面で支持されるように装着されており、花材用保持具５，６は花器２に高さ違いに装着されている。
開口端２１に支持される花材用保持具５は、図６にも示されるように、環状の本体５０と、この本体５０から突出するように設けられる複数の突起５１と、これらの突起５１に係止される複数の輪ゴム５２とを備えている。この花材用保持具５は、ステンレス等の金属材料により、本体５０と突起５１とが一体的に形成されている。
また、花材用保持具５の外径は、花器２の開口端２１に応じた寸法に設定されているが、これよりも径を小さくすれば、花材用保持具５は花器２内面に支持され、外部から見えにくい位置に装着できる。この径を変更することにより、花器２以外の花器にも装着可能であり、また、花材用保持具５、６間の距離を任意に設定できる。
【００３４】
本体５０は、断面中空の略円形環状に形成されている。そして、突起５１は、この本体５０の環形状を含む面と交差する方向に突出し、本体５０の周に沿って、指先で把持できる程度の所定ピッチにより配置されている。
これらの突起５１には輪ゴム５２がそれぞれ掛けられ、係止されている。この輪ゴム５２は、前記実施形態の輪ゴム１１２と略同様に透明色とされている。
ここで、この輪ゴム５２は本体５０の端縁に当接するように突起５１の周囲に掛けられ、突起５１の突出する本体５０の面とは反対側に掛け回すようにして係止されている。
このような輪ゴム５２は本体５０内周側に格子状に張り巡らせられ、輪ゴム５２を境界線とする複数の区画５３が形成されている。
【００３５】
このような花材用保持具５よりも花器２の底部１２側に配置される花材用保持具６は、図７にも示されるように、花材用保持具５よりも径が小さいほかは、花材用保持具５と略同様に、本体６０、突起６１、および輪ゴム６２とを備える。
ここで、この突起６１のピッチは花材用保持具５の突起５１よりも大きいピッチに設定されており、各突起６１に掛けられる輪ゴム６２の数も花材用保持具５より少ないことから、本体６０内での輪ゴム６２の密度は疎となっている。すなわち、この輪ゴム６２がなす区画６３の寸法も相対的に大きく形成されている。
【００３６】
このような花器２には、例えば次のようにして花材ＦＬを生けることができる。
まず、花材用保持具５、６を花器２に装着する。この際、花材用保持具５、６双方とも、それぞれの突起５１、６１が花器２の底部１２を向く方向で、かつ、本体の周縁が花器２に当接する方向で装着する。なお、生ける花材ＦＬが軽量であって保持力をさほど必要としない等の場合は、花材用保持具６を装着せずに花材用保持具５のみを装着してもよい。
そして、花材ＦＬの茎等を花材用保持具５に形成された区画５３に挿入し、続いて、花材用保持具６に形成された区画６３に挿入すると、花材ＦＬは花材用保持具５、６双方によって保持される。この際、花材用保持具６の輪ゴム６２の密度は疎なので、花材ＦＬがつかえることなく挿入しやすい。
ここで、花材用保持具５には、花材ＦＬを生けた後で輪ゴム５２を掛けてもよい。
【００３７】
ところで、輪ゴム５２、６２を突起５１、６１にそれぞれ係止させる態様は任意とされているが、例えば、模式図である図８（Ａ）（Ｂ）および図９（Ｃ）（Ｄ）にも示されるような態様によって輪ゴム５２を掛け、係止させることもできる。なお、輪ゴム６２についても同様である。
ひとつには、すべての輪ゴム５２を三つの突起５１に掛け、掛けられる突起５１の位置をずらしていくことで、花器２開口略中心を重心とする複数の略正三角形状を形成することができる（図８（Ａ））。これにより、少ない輪ゴム５２で本体５０および花器２内周を細分化でき、輪ゴム５２の張力を強くできる。
また、花器２の片方の側面側に形成された突起５１に輪ゴム５２を掛け、形成される区画５３の領域を偏在させることもできる（図９（Ｂ））。これにより、花材ＦＬを片側に寄せて生けたい場合等、必要な箇所に重点的に輪ゴム５２を張ることができるとともに、花材ＦＬを挿入しない箇所では輪ゴム５２の係止を省略できる。
【００３８】
さらに、複数の輪ゴム５２を鎖状に結び合わせて連結し、端部に位置する鎖目を突起５１に掛けることもできる（図９（Ｃ））。これにより、花器２の径が大きい場合等、花器２の径に応じて輪ゴム５２を連結して延長でき、輪ゴム５２の数に比較して数多くの区画５３を形成できる。また、突起５１に掛けられる輪ゴム５２が込み入ることなく、輪ゴム５２を突起５１に確実に係止できる。
またさらに、すべての輪ゴム５２の輪を切って１本の紐状とし、このように切り開かれた輪ゴム５２を本体５０内周の略中央で交差させるように突起５１にくくり付けて係止することもできる（図８（Ｄ））。これにより、花器２開口略中心から放射状に区画５３が形成されることになり、これらの区画５３に挿入される花材ＦＬの束を放射状に形作ることが容易となる。
【００３９】
なお、花材ＦＬが輪ゴム５２、６２に挟持される態様、花材ＦＬの位置や角度を調整する方法、および花器２を再利用する手順については、前記実施形態と略同様である。花器２の水ＷＴ交換についても略同様であるが、花材用保持具５、６ごと花材ＦＬを取り外して水ＷＴを交換することもできる。
【００４０】
このような第二実施形態によれば、第一実施形態の（1-1）〜（1-5）で述べた効果に加えて、次のような効果がある。
（2-1）花材用保持具５だけでなく、底部２２側に配置された花材用保持具６によっても花材ＦＬを保持・支持可能となるので花材ＦＬが倒れにくく、花材ＦＬが長い場合や重い場合でも、花材ＦＬに対する当たりを強めることなく着実に保持させることができる。
（2-2）突起５１、６１は、本体５０、６０の環形状を含む面と交差する方向に突出するように形成されることにより、輪ゴム５２，６２を本体５０，６０の端縁で折り返すように張ることができるので、輪ゴム５２、６２が突起から抜けにくく、輪ゴム５２、６２に強い張力を与えて花材ＦＬをより着実に保持させることができる。
また、突起５１、６１が花器２の底部２２に対向することにより、突起５１，６１が邪魔にならずに花材ＦＬを挿入できる。さらに、輪ゴム５２，６２が突起５１，６１から抜けにくくなり、この点でも花材ＦＬをより着実に保持できる。
【００４１】
本発明は、前述の各実施形態に限定されるものではなく、以下に示すような変形をも含むものである。
花器１，２、および花材用保持具５，６の材質や形状等は前記各実施形態に限定されない。例えば、前述のように花器１、２の開口端１１、２１の形状は略六角形状や略円形状とされていたが、三角形状や四角形状等の多角形状や、楕円形状等も採用できる。花材用保持具５、６についても、略円形環状に限らず、多角形状、楕円形状等も採用できる。花器１、２の側面形状も限定されず、例えば、花器２の側面形状を中間部位が内側から外側に膨出する樽形状としても構わない。このように花器１、２および花材用保持具５、６を各種の形状に形成できる。
また、前記各実施形態では、花器１、２はガラス製とされ、花材用保持具５、６は金属製とされていたが、これらに限らず、花器１、２、花材用保持具５、６を陶磁器で形成したり、ガラス材料で形成したり、透明アクリル等の合成樹脂の射出成形によって形成したりしてもよい。また、環状の本体５０、６０の径方向に隙間を形成し、この隙間部分で径が拡縮可能とすることも考えられる。前記各実施形態では花器１、２の内面には突起等は形成されていなかったが、花器１、２の内面に突起等を形成して花材用保持具５、６を支持させても構わない。花材用保持具５、６は、花器１にも装着可能に設計できる。また、開口端２１の端面を挟持可能な形状に花材用保持具５を形成してもよい。
【００４２】
さらに、突起や輪ゴムの形状、数量等も前述したものに限定されない。例えば、突起１１１、５１、６１の先端部分を、外側に屈曲する断面略Ｌ字状のフック形状とすれば、突起１１１、５１、６１に係止される輪ゴム１１２、５２、６２の脱落を防止できる。また、ビスを花器１や本体５０，６０にねじ込むことにより突起１１１、５１、６１を形成することも考えられる。
そして、花材ＦＬとの摩擦を大きくするために輪ゴム１１２、５２、６２の表面に凹凸を形成してもよいが、花材ＦＬを必要十分に保持できる範囲内で摩擦係数が調整されることが好ましい。
輪ゴム１１２、５２、６２の色は前記各実施形態では透明色であったが、花材ＦＬの茎や葉等の色と近似するような緑色や茶色等、また、花弁等の色と近似する赤色、黄色等を採用しても目立ちにくい。
なお、輪ゴム１１２、５２、６２を掛けて区画１１３、５３、６３に花材ＦＬを挿入する態様は前述のように任意であるが、花材ＦＬを形良く生けられるような標準的な挿入位置を決めておき、花器１、２、花材用保持具５、６をフラワーアレンジメント等の教材として使用してもよい。
さらに、例えばトルマリン鉱石の粉体を含むように花器１、２の本体、花材用保持具５、６等を形成することにより、水ＷＴの劣化を防止し、花材ＦＬの持ちを良好にする効果等が期待できる。
【産業上の利用可能性】
【００４３】
本発明は、生け花やフラワーアレンジメントのための花材用保持具および花器として利用できる他、その他のディスプレイ器具としても利用することができる。
【図面の簡単な説明】
【００４４】
【図１】本発明の第一実施形態に係る花器の斜視図（花材が生けられた状態）。
【図２】前記実施形態における花器の斜視図。
【図３】前記実施形態における花器の平面図。
【図４】前記実施形態における花材の保持状態を表す模式図。
【図５】本発明の第二実施形態に係る花器の斜視図。
【図６】前記実施形態における花材用保持具の斜視図。
【図７】前記実施形態における花材用保持具の斜視図。
【図８】前記実施形態における弾性部材の係止態様のバリエーションを表す花材用保持具の平面図。
【図９】前記実施形態における弾性部材の係止態様のバリエーションを表す花材用保持具の平面図。
【符号の説明】
【００４５】
１，２                花器
５，６                花材用保持具
１１、２１            開口端
１２、２２            底部
５０，６０            本体
５１，６１、１１１    突起
５２，６２、１１２、１１２Ａ，１１２Ａ１、１１２Ａ２、１１２Ａ３、１１２Ｂ    輪ゴム
５３、６３、１１３、１１３Ａ、１１３Ｂ、１１３Ｃ    区画
ＦＬ                花材
【図１】
2005087446.tif 000003
【図２】
2005087446.tif 000004
【図３】
2005087446.tif 000005
【図４】
2005087446.tif 000006
【図５】
2005087446.tif 000007
【図６】
2005087446.tif 000008
【図７】
2005087446.tif 000009
【図８】
2005087446.tif 000010
【図９】
2005087446.tif 000011